(57)【要約】      （修正有）【課題】複数型式のオートバイに対応できる交換可能な多機能密閉形鉛蓄電池を提供する。【解決手段】蓋体とハウジングを含んでおり、前記蓋体の上部にタブがあり、前記蓋体と前記ハウジングとの間は樹脂シール材によって接合されており、前記ハウジング内に複数の極板を配置されており、各極板の間に希硫酸を充填されている。さらに、各極板の間にはセパレータが存在し、前記蓋体の上部には前記タブの4つの角とそれぞれ隣接する4つの極性端子の極柱が配置されている。市販されいる複数種類の蓄電池と交換することができ、異なる型式のオートバイに対応できると同時に、蓄電池の容量を向上させたことにある。【選択図】図１
0003151960.tif 000002
【実用新案登録請求の範囲】
【請求項１】
一種の交換可能な多機能密閉形鉛蓄電池であり、前記交換可能な多機能密閉形鉛蓄電池は蓋体とハウジングを含んでおり、前記蓋体の上部にタブがあり、前記蓋体と前記ハウジングとの間は樹脂シール材によって接合されており、前記ハウジング内に複数の極板を配置されており、各極板の間に希硫酸を充填されて、各極板の間にはセパレータが存在し、さらに前記蓋体の上部には前記タブの４つの角とそれぞれ隣接する４つの極性端子の極柱が配置されていることを特徴とする鉛蓄電池。
【請求項２】
前記４つの極性端子の極柱には、２つの正極性端子の極柱と２つの負極性端子の極柱が含まれていることを特徴とする請求項１に記載の交換可能な多機能密閉形鉛蓄電池。
【請求項３】
前記２つの正極性端子の極柱が隣接し合うサイドアングルに、前記２つの負極性端子の極柱が他方の隣接し合うサイドアングルにそれぞれ配置されていることを特徴とする請求項２に記載の前記的交換可能な多機能密閉形鉛蓄電池。
【請求項４】
２つの極性端子の極柱ごとに、１つの銅部品と一体式構造となっており、各極性端子の極柱の周りに赤と黒の極性溶液が充填されていることを特徴とする請求項１に記載の交換可能な多機能密閉形鉛蓄電池。
【請求項５】
前記蓋体のサイドアングルにセット孔を設けており、前記セット孔内に０リングがあり、鉛端の極柱がセット孔及び０リングを通して、前記鉛端の極柱と前記セット孔及び０リングの間にある連接部にエポキシ樹脂シール剤を充填されていることを特徴とする請求項４に記載の前記的交換可能な多機能密閉形鉛蓄電池。
【請求項６】
鉛端の極柱が蓋体の表面上において、前記銅部品と溶接されており、両者の溶接部位にエポキシシール材を塗布されていることを特徴とする請求項５に記載の交換可能な多機能密閉形鉛蓄電池。
【請求項７】
前記蓋体内に安全弁を設けており、前記タブに排気片を設けており、前記各極性端子の極柱に“Ｌ”形可動式端子ヘッドがあり、当該“Ｌ”形可動式端子ヘッドにはお互いに一定の角度に曲げられた折り片があり、各折り片に丸い穴を設けていることを特徴とする請求項１に記載の交換可能な多機能密閉形鉛蓄電池。
【請求項８】
前記ハウジングの底部に第一高さ調整支持板があり、前記第一高さ調整支持板には底壁及び当該底壁と一対に連接された側壁があり、前記底壁に取り付け穴を設けており、前記一対になっている側壁が前記ハウジングの底部と固定されていることを特徴とする請求項１に記載の交換可能な多機能密閉形鉛蓄電池。
【請求項９】
前記ハウジングの底部に前記高さ調整支持板に対応する第二高さ調整支持板があり、前記第二高さ調整支持板が柱ピンの構造であり、前記柱ピン構造が前記第一高さ調整支持板の取り付け穴に挿入されていることを特徴とする請求項８に記載の交換可能な多機能密閉形鉛蓄電池。
【考案の詳細な説明】
【技術分野】
【０００１】
本実用新案はオ−トバイに使用する鉛蓄電池に関するものである。
【背景技術】
【０００２】
現状、国際市場において、オ−トバイの型式が多く、各オ−トバイが鉛蓄電池の性能及び取り付け寸法に対する要求もまちまちである。したがって、オ−トバイに使用されている蓄電池の型式も多くなったものである。各オ−トバイ用蓄電池のメ−カ−は、市場のニ−ズを満足するには、型式と種類の多い蓄電池を生産しなければならず、型式と品種の多さで、生産管理面だけだはなく、販売面においてもいろいろな困難と不便を抱えている。
【考案の概要】
【考案が解決しようとする課題】
【０００３】
本実用新案の目的は、既存技術の不足点を乗り越えて、複数型式のオ−トバイに対応できる鉛蓄電池を提供することにある。
【０００４】
一種の交換可能な多機能密閉形鉛蓄電池であり、前記交換可能な多機能密閉形鉛蓄電池は蓋体とハウジングを含んでおり、前記蓋体の上部にタブがあり、前記蓋体と前記ハウジングとの間は樹脂シ−ル材によって接合されており、前記ハウジング内に複数の極板を配置されており、各極板の間に希硫酸を充填されて、各極板の間にはセパレ−タが存在し、さらに前記蓋体の上部には前記タブの４つの角とそれぞれ隣接する４つの極性端子の極柱が配置されている。
【考案の効果】
【０００５】
一台の蓄電池には、４つのリ−ド線極柱があるので、同時に“左負右正”と“左正右負”の二種類製品の要求を満足でき、４つの極性端子の極柱がすべて銅片に連結されて、蓄電池ケ−スの上蓋に嵌っているため、銅片と硫酸との接触による腐食を効果的に避けられ、“Ｌ”型の銅可動式端子ヘッドが蓄電池の各種類の端子配線条件に対応でき、端極柱の密封装置が上蓋のスペ−ス内に収容されているため、電槽内の極板の高さが従来の極板より１０ｍｍ以上高く設置することができる。
次に、添付図を参照して本実用新案をさらに詳しく説明する。
【図面の簡単な説明】
【０００６】
【図１】本実用新案に係わる交換可能な多機能密閉形鉛蓄電池の蓋体の表面の断面図である。
【図２】図１に示した構造のＡ−Ａ方向の断面図；
【図３】図１に示した構造のＢ−Ｂ方向の断面図；
【図４】本実用新案に係わる交換可能な多機能密閉形鉛蓄電池の正面図；
【図５】図４に示した構造の俯瞰図；
【図６】図４に示した構造の右側面図；
【図７】図７は蓋体内にある銅部品の構造図；
【図８】図８は蓋体内にある銅部品の構造図；
【図９】蓋体内にある銅部品の断面図；
【図１０】“Ｌ”型端柱ヘッドの正面図；
【図１１】“Ｌ”型端柱ヘッドの平面図；
【図１２】“Ｌ”型端柱ヘッドの左側面図；
【図１３】電槽の底部に対応する第一高さ調整支持板の正面図；
【図１４】電槽の底部に対応する第一高さ調整支持板の平面断面図；
【図１５】電槽の底部に対応する第一高さ調整支持板の左側断面図；
【図１６】図１２に示した第一高さ調整支持板に対応する第二高さ調整支持板の正面図；
【図１７】図１２に示した第一高さ調整支持板に対応する第二高さ調整支持板の平面断面図；
【図１８】図１２に示した第一高さ調整支持板に対応する第二高さ調整支持板の左側断面図。
【考案を実施するための形態】
【０００７】
以下、本考案の実施の形態について詳細に説明する。
本実用新案に係わる交換可能な多機能密閉形鉛蓄電池において、蓋体１とハウジング２が含まれており、蓋体１の上部にタブ６を設けており、蓋体１１とハウジング２の間は樹脂シ−ル材５によって密封されている。前記ハウジング２が長方形のハウジングであり、前記ハウジング２内に複数の極板４があり、前記各極板４の間に希硫酸が充填されて、かつ各極板４の間にAGMセパレ−タ１３が配置されている。
そして、前記蓋体１の上部にさらに前記タブ６の４つの角にそれぞれ隣接し合う４つの極性端子の極柱１１を配置している。前記４つの極性端子の極柱１１には、２つの正極性端子の極柱１１と２つの負極性端子の極柱１１がある。そして、２つの正極性端子の極柱１１が一対となっている隣接し合うサイドアングルに配置でき、前記２つの負極性端子の極柱１１が他方の一対となっている隣接し合うサイドアングルに配置できる。
さらに、各２つの極性端子の極柱１１が１つの銅部品１２と一体式構造となっており、各極性端子の極柱１１の周りに赤・黒色の極性溶液９が充填されている。蓋体１のサイドアングルにセット孔１４を設けており、孔１４内に０リング（図なし）がある。鉛端の極柱がセット孔１４及び０リングを通して、鉛端の極柱とセット孔１４及びリングの間にある接触部位にエポキシ樹脂シ−ル剤が充填されている。
そして、鉛端の極柱が蓋体１の表面上で前記銅部品１２と孔１４の表面上でお互いに溶接されており、前記溶接部位がエポキシシ−ル材によって塗布されている。さらに、前記蓋体１内に安全弁７を設置しており、前記タブ６上に排気片８がある。
前記各極性端子の極柱１１に“Ｌ”形可動式端子ヘッド（図９−１１参照）を配置されており、当該端柱ヘッドには、互いに一定の角度、たとえば９０°にに曲げられた２つの折り片があり、そして、各折り片にすべて丸い穴を設けており、うちの１つの丸い穴が極性端子の極柱１１にロックされており、片一方の丸い穴がオ−トバイのリ−ド線に繋いでいるため、蓄電池よりオ−トバイへの給電を効果的に保証できる。
ユ−ザがオ−トバイのリ−ド線の端子に蓄電池を装着する場合、上下方式で蓄電池を固定する時、前記端柱ヘッドを使用しなくて済む。この場合、オ−トバイに付いている蓄電池接続用のリ−ド線を蓄電池上の丸い端子とを直接接続すれば良い。オ−トバイに付いている蓄電池接続用のリ−ド線を横方式で蓄電池と接続する場合は、前記端柱ヘッドを使用する。すなわち、まず前記端柱ヘッドを蓄電池の極性端子の極柱１１に接続してから、オ−トバイのリ−ド線を前記端柱ヘッドの折り片の丸い穴に接続する。同時に、オ−トバイのリ−ド線が正面または側面に収容できるように、極性端子の極柱１１を周りに十分なスペ−スのある形に設計することもできる。この形の構造は蓄電池の各種端子の配線需要を満足できる。
本実用新案は、蓄電池の容量を増大させたと共に、蓄電池の体積比エネルギ−を向上した。これによって、蓄電池の使用寿命を延長し、体積の小さくて、エネルギ−の高い蓄電池で体積の大きいまたは容量に対する要求の高い蓄電池の切り替えを実現できる。この容量増大を実現する具体的な手段は以下の通り。蓄電池の上蓋１の上部に、０リングを収容できる鉛端の極柱を設けて、鉛端の極柱がセット孔１４を通してから、０リングが内側において鉛端の極柱と緊密に接合でき、外側において上蓋１の上部セット孔１４と緊密に接合できる。その後、蓄電池の上蓋１の正面と対応する位置に専用のエポキシ樹脂シ−ル材を充填し、密封させる。最後に、鉛端の極柱と蓄電池の上蓋１内の銅部品とを溶接し、溶接ジョイントを作る。この技術工程によれば、蓄電池内の酸液が鉛端の極柱にそって銅片への漏れによる銅片の腐食を避けられると共に、鉛極柱と銅片とのしっかりとした溶接を確保することができる。
端極柱の密封装置が蓋体１のスペ−ス内で実現されたので、蓄電池槽内の極板４の高さは従来の極板の高さより１０ｍｍ以上向上することができる。言い換えれば、極板４の表面積が従来技術に比べて大幅に増加でき、極板４表面上の活性物質キャリアが多くなり、容量増大のメリットを得たのである。例えば、従来技術の“ＹＴＸ１６−ＢＳ”という品名の蓄電池を例に、外型寸法（長さ×幅×高さ）が１５１×８７×１６０（ｍｍ）で、１０ｈｒ容量が１４−１６Aｈ、内部極板４の高さが最大１０６ｍｍに止まっていた。本技術を採用すると、蓄電池の外形寸法を変えない前提に、極板４の高さが１２３ｍｍに、１０ｈｒ容量が１８Aｈに向上でき、平均容量が約２０パーセント向上できるので、本実用新案による明らかな効果を立証できる。
外形寸法がほぼ近く、高さだけが１０−２０ｍｍぐらい違う蓄電池については、蓄電池とオ−トバイとの適合性を向上させるために、蓄電池内（たとえば前記ハウジング２の底部）に高さ調整支持板を別途配置することができる。それによって、ユ−ザ−が背の低い蓄電池を使う場合は、支持板を使用しなくても良い。逆に、背の高い高蓄電池を使う場合は、当該支持板によって、車両の取り付け仕様に合わせて、１枚か２枚の支持板を使用して、蓄電池全体の高さを調整することができる。それから、支持板が蓄電池のケ−シング（すなわち本実用新案に説明したハウジング２の底部）との嵌めあい、並びに支持板と支持板同士間の嵌めあいが良く、外観も綺麗になる。図１２−１７を見て分かるように、支持板１７には底壁及び当該底壁と一対となっている側壁１９があり、前記底壁に取り付け穴１５を開けてあり、当該側壁１９と前記ハウジング２の底部とが互に固定し合っているので、蓄電池第一回高さ調整の目的を実現したのである。そして、片一方の支持板１８が柱ピンの構造１６を有しており、柱ピンの構造１６を前記支持板１７の取り付け穴１５内に挿入することによって、支持板１７と支持板１８間の位置決めを図り、両者間の緊密接合が実現でき、支持板１７と１８との相互固定を確保した上で、蓄電池の二回高さ調整の目的を達成したのである。蓄電池の二回高さ調整を必要としない場合、支持板１８を使わないこととなる。
【図１２】
0003151960.tif 000003
【図１】
0003151960.tif 000004
【図２】
0003151960.tif 000005
【図３】
0003151960.tif 000006
【図４】
0003151960.tif 000007
【図５】
0003151960.tif 000008
【図６】
0003151960.tif 000009
【図７】
0003151960.tif 000010
【図８】
0003151960.tif 000011
【図９】
0003151960.tif 000012
【図１０】
0003151960.tif 000013
【図１１】
0003151960.tif 000014
【図１３】
0003151960.tif 000015
【図１４】
0003151960.tif 000016
【図１５】
0003151960.tif 000017
【図１６】
0003151960.tif 000018
【図１７】
0003151960.tif 000019
【図１８】
0003151960.tif 000020